(57)【要約】磁気共鳴画像法の無線周波数コイルの中に新生児の頭部を位置決めするための新生児位置決めアセンブリが提供される。新生児位置決めアセンブリは、位置決めアセンブリ上の新生児を移動することなく、新生児の頭部が無線周波数コイルの視野の中に位置決めされるのを許容する。【選択図】図１
2019514466.tif 000002
【特許請求の範囲】
【請求項１】
新生児の磁気共鳴画像法（ＭＲＩ）のための無線周波数（ＲＦ）コイルの中に新生児の頭部を位置決めするための新生児位置決めアセンブリであって、前記新生児位置決めアセンブリは、
イメージングの間、新生児が横たわる細長いベッドであって、前記細長いベッドは、前記細長いベッドの第１の端部に新生児の頭部のためのヘッド部分を有し、前記細長いベッドの第２の端部に第１の枢支点を有する、細長いベッド、
前記細長いベッドの下に着脱自在に配置されて、第１の端部および第２の端部を有するベースであって、前記ベースの前記第１の端部が前記細長いベッドの前記第１の端部と整合されるように、前記ベースの第２の端部は、前記細長いベッドの前記第２の端部で前記第１の枢支点と整合する第２の枢支点を有する、ベース、
前記第１の枢支点および前記第２の枢支点を介して、前記細長いベッドを前記ベースに固定する留め具、および、
スライダであって、前記スライダが前記留め具に位置するときに、前記細長いベッドの上昇度が最大であるように、そして、前記スライダが前記留め具から離れて摺動するにつれて、前記細長いベッドの上昇度が漸減するように、前記留め具と前記ヘッド部分との間で前記ベースおよび前記細長いベッドに沿って摺動する、スライダ、
を備える、新生児位置決めアセンブリ。
【請求項２】
前記第１の枢支点および前記第２の枢支点は、開口部であり、前記留め具は、ダウエルである、請求項１に記載の新生児位置決めアセンブリ。
【請求項３】
前記スライダは、手動機構、自動機構、遠隔操作機構、半自動機構、およびそれらの任意の組み合わせによって操作される、請求項１に記載の新生児位置決めアセンブリ。
【請求項４】
前記ベッド、前記ベース、前記留め具、および前記スライダは、非磁気材料である、請求項１に記載の新生児位置決めアセンブリ。
【発明の詳細な説明】
【技術分野】
【０００１】
［関連出願についてのクロス・リファレンス］
この出願は、２０１６年４月２０日出願の米国仮特許出願第６２／３２５，２４１号に対する優先権およびその利益を請求する。そしてその全内容は、参照において完全に本明細書に組み込まれる。
【０００２】
［技術分野］
本発明は、磁気共鳴画像法（Ｍａｇｎｅｔｉｃ  Ｒｅｓｏｎａｎｃｅ  Ｉｍａｇｉｎｇ  （ＭＲＩ））の分野に関し、特に、ＲＦコイルの中にＭＲＩのための新生児を位置決めすることに関する。
【背景技術】
【０００３】
磁気共鳴画像法（ＭＲＩ）システムは、患者の医学的画像を含む医学的技法においてますます普及するようになっている。ＭＲＩシステムは、磁界を生成するために磁石、および信号を送信および受信するために１つ以上のＲＦコイルを含むことができる。ＭＲＩシステムにおいて、撮像される対象物（例えば、人間の頭部）に対するＲＦコイルの付近は、ＭＲＩシステムによって受信される信号のＳＮ比（ＳＮＲ）に影響を及ぼすことができる。
【０００４】
目下、新生児（例えば、人間の赤ん坊）の頭部のＭＲＩを得るときに、赤ん坊の頭部はＲＦコイルの中に位置決めされる。新生児の頭部のサイズは大きく変化することができる。そうすると、１人の赤ん坊は、その頭部をコイルの中央に実質的に位置決めされることができる。その一方で、別の赤ん坊は、その頭部をコイルの中心から実質的に外れて位置決めされることができる。
【０００５】
コイルの中心の中に実質的に赤ん坊の頭部があることは、ＭＲＩ画像のＳＮ比を改良することができる。このように、赤ん坊がその頭部をＲＦコイルの中心から実質的に外れて位置決めされるような頭部サイズを有するときに、目下、枕または他の不正確な対象物は、赤ん坊の頭部をＲＦコイルの中の中央に置くことを試みるために用いることができる。
【０００６】
したがって、赤ん坊の頭部をＲＦコイルの実質的に中心に正確に置くことは、望ましくなりうる。
【発明の概要】
【課題を解決するための手段】
【０００７】
１つの態様では、本発明は、新生児の磁気共鳴画像法（ＭＲＩ）のための無線周波数（ＲＦ）コイルの中に新生児の頭部を位置決めするための新生児位置決めアセンブリを含む。新生児位置決めアセンブリは、イメージングの間、新生児が横たわる細長いベッドであって、細長いベッドは、細長いベッドの第１の端部に新生児の頭部のためのヘッド部分を有し、細長いベッドの第２の端部に第１の枢支点を有する、細長いベッドを含む。新生児位置決めアセンブリはまた、細長いベッドの下に着脱自在に配置されて、第１の端部および第２の端部を有するベースであって、ベースの第１の端部が細長いベッドの第１の端部と整合されるように、ベースの第２の端部は、細長いベッドの第２の端部で第１の枢支点と整合する第２の枢支点を有する、ベースを含む。新生児位置決めアセンブリはまた、第１の枢支点および第２の枢支点を介して、細長いベッドをベースに固定する留め具を含む。新生児位置決めアセンブリはまた、スライダであって、スライダが留め具に位置するときに、細長いベッドの上昇度が最大であるように、そして、スライダが留め具から離れて摺動するにつれて、細長いベッドの上昇度が漸減するように、留め具とヘッド部分との間でベースおよび細長いベッドに沿って摺動する、スライダを含む。
【０００８】
いくつかの実施形態では、第１の枢支点および第２の枢支点は開口部であり、留め具はダウエルである。いくつかの実施形態では、スライダは、手動機構、自動機構、遠隔操作機構、半自動機構、およびそれらの任意の組み合わせによって操作される。いくつかの実施形態では、ベッド、ベース、留め具およびスライダは、非磁性材料でできている。
【０００９】
本開示の実施形態の非限定的な例は、本明細書に添付の図に関して後述される。そしてそれは以下に列挙される。図に示される特徴の寸法は、プレゼンテーションの便宜および明快さのために選択されて、一定の比率で必ずしも示されるわけではない。
【００１０】
本発明として考えられる主題は、特に指し示されて、明細書の結論部分において明確に請求される。しかしながら、本発明は、その目的、特徴および利点と一緒に、組織化および作動の方法に関する両方が、添付図面とともに読み込まれるときに、以下の詳細な説明を参照することで理解されることができる。本発明の実施形態は、例としてそして限定されない添付図面の図に示される。そして類似の参照番号は、対応するか、類似するか、または同様の要素を示す。
【図面の簡単な説明】
【００１１】
【図１】図１は、本発明の実施形態による新生児位置決めアセンブリの図である。
【図２】図２は、本発明の実施形態による新生児位置決めアセンブリの図である。
【図３Ａ】図３ａは、本発明の実施形態による図２の新生児位置決めアセンブリのベッドの図である。
【図３Ｂ】図３ｂは、本発明の実施形態による図２の新生児位置決めアセンブリのスライダの図である。
【図３Ｃ】図３ｃは、本発明の実施形態による図２の新生児位置決めアセンブリのベースの図である。
【図４】図４は、本発明の実施形態による上昇位置における図２の新生児位置決めアセンブリの図である。
【図５Ａ】図５Ａは、本発明の実施形態による図２の新生児位置決めアセンブリを有するカプセルを受け入れ可能なＭＲＩ装置の図である。
【図５Ｂ】図５Ｂは、本発明の実施形態による図２の新生児位置決めアセンブリを有するカプセルを受け入れ可能なＭＲＩ装置の図である。
【図６】図６は、本発明の実施形態による図５Ｂのカプセルの図である。
【図７】図７は、本発明の実施形態による図５Ｂのカプセルの図である。
【発明を実施するための形態】
【００１２】
図１は、本発明の実施形態による新生児位置決めアセンブリ１００の図である。新生児位置決めアセンブリ１００は、ベッド１０、ベース３０、留め具４０およびスライダ２０を含む。新生児位置決めアセンブリ１００は、部材５０（例えば、ＭＲＩ装置の中に新生児を配置する保育器および／または新生児輸送カプセルの表面）上に配置されることができる。ベッド１０は、ＲＦコイル６０内に部分的に挿入されることができる。
【００１３】
図２は、本発明の実施形態による新生児位置決めアセンブリの図である。新生児位置決めアセンブリ１０５は、ベッド１５、ベース３５、留め具４５およびスライダ２５を含む。ベース３５は、２本の溝形レール３２ａおよび３２ｂを含む。そして、スライダ２５は、それぞれ、２本の溝形レール３２ａおよび３２ｂにおいて摺動することができる２つの部材２２ａおよび２２ｂ（図３Ｂ参照）を含む。スライダ２５は、カーブすることができる。
【００１４】
図３ａ、図３ｂおよび図３ｃは、本発明の実施形態による図２の新生児位置決めアセンブリのベッド１５、スライダ２５およびベース３５の図である。ベッド１５は、第１の端部８にヘッド部分１２を、および第２の端部１１に胴部分１４を含む。ヘッド部分１２は、ＲＦコイルまたはＲＦコイルアセンブリ内に挿入される部分である。胴部分は、第１の枢支点１６（例えば、図示のような開口部）を含む。ベース３５は、第１の端部２８および第２の端部２１を含む。第２の端部２１は、第２の枢支点３４（例えば、図示のような開口部）を含む。第１の枢支点１６および第２の枢支点３４が整合するように、ベッド１５は、ベース３５の上に配置される。留め具（例えば、上記のような留め具４５）は、ベース３５とベッド１５とを確保することができる。留め具４５は、ダウエルであることができる。部材２２ａおよび２２ｂが２つのスライド３２ａおよび３２ｂにそれぞれ挿入されるように、スライダ２５は、ベッド１５とベース３５との間に位置する。このように、スライダ２５は、上昇させるベッドのヘッド部分１２を上昇させるために、ベッド１５に沿って摺動することができる。
【００１５】
部材２２ａおよび２２ｂは、車輪、ラック車輪、ボールベアリング、ローラ、圧延ディスク、または摺動のための技術において周知であるような他の任意の機構であることができる。スライダ３２ａおよび３２ｂは、トラック、ガイド、溝、レール、または摺動のための技術において周知であるような他の任意の機構であることができる。スライダ２５は、手動機構、自動機構、遠隔操作機構、半自動機構、またはそれらの任意の組み合わせを介して、作動することができる。
【００１６】
図４は、本発明の実施形態による上昇位置における図２の新生児位置決めアセンブリの図である。スライダ２５は、留め具４５から離れて配置されて、ベッド１５のヘッド部分の上昇度７０を生じさせる。スライダ２５が留め具４５の方へさらに摺動するにつれて、上昇度７０は増加する。スライダ２５が留め具４５から離れて摺動するにつれて、上昇度７０は減少する。赤ん坊がその頭部をヘッド部分に置いてベッド１５上に位置するときに、ベッドのヘッド部分を上昇させることは、赤ん坊の頭部をＲＦコイル６０の中で移動させる。このように、新生児の頭部は、特にＲＦコイル６０の中に配置されることができる。新生児がＲＦコイルの中にいる間に、マットレス上で新生児を移動することなく、新生児の頭部の位置を視野（例えば、ＲＦコイルの中の特定位置）に合わせることができる。
【００１７】
図５Ａおよび図５Ｂは、本発明の実施形態による図２の新生児位置決めアセンブリを有する新生児カプセル１２０を受け入れ可能なＭＲＩ装置１１０の図である。ＭＲＩ装置１１０は、孔１１５および凹部１２５を含むことができる。図５Ｂに示すように、孔１１５は、新生児カプセル１２０を受け入れることができる。そして、凹部１２５は、新生児カプセル１２０を輸送するために用いることができる輸送カート１３０を受け入れることができる。新生児位置決めアセンブリは、新生児カプセル１２０の内部で用いられることができる。このように、ＲＦコイルとの特定位置における新生児の頭部については、新生児の頭部の画像は、ＭＲＩの中で撮られることができる。
【００１８】
図６は、本発明の実施形態による図５Ｂの新生児カプセルの図である。新生児は、新生児位置決めアセンブリのベッド１５上に横にされる。ＲＦコイル６０は、新生児の頭部の回りに配置される。
【００１９】
図７は、本発明の実施形態による図５Ｂのカプセルの図である。新生児はベッド１５上に横たわる。そして、ＲＦコイル位置決めアセンブリ６０は、新生児の頭部を囲む。
【図１】
2019514466.tif 000003
【図２】
2019514466.tif 000004
【図３Ａ】
2019514466.tif 000005
【図３Ｂ】
2019514466.tif 000006
【図３Ｃ】
2019514466.tif 000007
【図４】
2019514466.tif 000008
【図５Ａ】
2019514466.tif 000009
【図５Ｂ】
2019514466.tif 000010
【図６】
2019514466.tif 000011
【図７】
2019514466.tif 000012
【国際調査報告】
2019514466.tif 000013
2019514466.tif 000014